(57)【要約】【課題】簡単な構造で設置作業が容易であるチャンネルベースのキャビネットの設置構造を提供することを目的としている。【解決手段】キャビネット１の底面にチャンネル支持具５を、チャンネルベース２の背面側、支持具５に対向する位置に係止部２ａを設けると共に、キャビネット１の底面前面側とチャンネルベース２の上面前面側とにそれぞれボルト挿通孔を設け、チャンネルベース２とキャビネット１との接続は、チャンネルベース２側からボルト７を挿通して固定することを特徴とする。【選択図】図３
2008218695.tif 000002
【特許請求の範囲】
【請求項１】
床面にチャンネルベースを設置し、該チャンネルベース上部に機器を収納するキャビネットを載置するときのチャンネルベースのキャビネット設置構造であって、前記キャビネットの底面にチャンネル支持具を、前記チャンネルベースの背面側、前記支持具に対向する位置に係止部を設けると共に、前記キャビネットの底面前面側と前記チャンネルベースの上面前面側とにそれぞれボルト挿通孔を設け、前記チャンネルベースとキャビネットとの接続は、前記チャンネルベース側からボルトを挿通して固定することを特徴とするチャンネルベースのキャビネット設置構造。
【発明の詳細な説明】
【技術分野】
【０００１】
本発明は、床面にチャンネルベースを設置し、該チャンネルベース上部に機器を収納するキャビネットを載置するときのチャンネルベースのキャビネット取り付け構造に関するものである。
【背景技術】
【０００２】
従来のチャンネルベースへのキャビネットの設置方法は、キャビネットの下部にボルト穴加工を施し、キャビネットの内側からチャンネルベースへボルトを挿通し締め付け固定していた。
【特許文献１】特開２００３−０５１２９９号公報
【発明の開示】
【発明が解決しようとする課題】
【０００３】
キャビネットにすでに機器が組み込まれていたり、棚やひきだしが取り付けられているような場合には、これら、機器や棚、ひきだしを取り外してから作業を行わなくてはならず、キャビネットの設置に時間と手間がかかっていた。
【０００４】
キャビネット内部からボルトを締め付けてチャンネルベースと接続していたため、接続作業はキャビネットの扉を開放した状態で行うので、ボルト締め付け作業の間は扉が動きやすくキャビネットが不安定で、作業に危険が伴っていた。
【課題を解決するための手段】
【０００５】
そこで本発明は、簡単な構造で設置作業が容易であるチャンネルベースのキャビネットの設置構造を提供することを目的とし、その構造は、キャビネットの底面にチャンネル支持具を、チャンネルベースの背面側、支持具に対向する位置に係止部を設けると共に、キャビネットの底面前面側とチャンネルベースの上面前面側とにそれぞれボルト挿通孔を設け、チャンネルベースとキャビネットとの接続は、チャンネルベース側からボルトを挿通して固定することを特徴とする。
【発明の効果】
【０００６】
本発明に係るチャンネルベースのキャビネット設置構造は、キャビネットの底面にチャンネル支持具を、チャンネルベースの背面側、支持具に対向する位置に係止部を設けると共に、キャビネットの底面前面側とチャンネルベースの上面前面側とにそれぞれボルト挿通孔を設け、チャンネルベースとキャビネットとの接続は、チャンネルベース側からボルトを挿通して固定するため、キャビネットのチャンネルベースへの固定は前面側のボルト固定でできるため、容易である。また、チャンネルベースの前面側でできるため、また、キャビネット側は機器が取り付いていてもそのまま設置作業ができると共に、扉も閉じたままで良いため、キャビネットを安定させた状態で作業ができる。ボルト固定の箇所が前面側の少数で良いため、キャビネットの水平設置等の微調整が容易である。
【発明を実施するための最良の形態】
【０００７】
本発明に係るチャンネルベースのキャビネット設置構造を図１〜図４の添付図面に基づいて説明する。
【０００８】
電子機器や通信機器を収納するキャビネット１を床面にアンカー固定するときに用いるチャンネルベース２とキャビネット１との設置構造である。キャビネット１は、天板、底板、側板、背面板、前面板とに囲まれ、前面は配線等の作業ができるように扉や引き出しが取り付けられて開閉可能となっている。
【０００９】
チャンネルベース２は、安定してキャビネット１を支持できるような寸法とし、アンカー固定穴３が設けられている。アンカー固定穴３にはアンカーボルト４を挿通し床面にチャンネルベース２を固定する。
【００１０】
キャビネット１の底板にチャンネル支持具５を取り付ける。チャンネル支持具５は取り付け部５ａと引っ掛け部５ｂとを形成し、取り付け部５ａには挿通孔５ｃを設けている。ボルト６をキャビネット１の外側から挿通孔５ｃとキャビネット１の底板の前面側に設けられたチャンネルベース固定穴（図示せず）とに挿通しチャンネル支持具５をキャビネット１に取り付ける。
【００１１】
チャンネルベース２には係止部２ａを設ける。位置は、キャビネット１に取り付けられたチャンネル支持具５の引っ掛け部５ｂに対向するように、チャンネルベース２の背面側の上面から下面に向かって設ける。一方前面側上面には、キャビネット１に設けられたチャンネルベース固定穴（図示せず）に対向する位置にキャビネット固定穴２ｂを設ける。
【００１２】
キャビネット１の設置方法について説明する。床面に固定されたチャンネルベース２に、チャンネル支持具５が取り付けられているキャビネット１を、チャンネルベース２の係止部２ａにチャンネル支持具５の引っ掛け部５ｂを係止させて位置決めをしながら、チャンネルベース２の上にキャビネット１を載置する。チャンネルベース２の前面側からボルト７を、キャビネット固定穴２ｂとチャンネルベース固定穴（図示せず）とにそれぞれ挿通し、締め付けることでチャンネルベース２にキャビネット１を固定する。
【００１３】
キャビネット１の背面側はチャンネル支持具５によりチャンネルベース２に係止させることで固定し、キャビネット１の前面側のしかもキャビネット１の外側からボルト締めするので、キャビネット１に機器が取り付いた状態でも、引き出し式のキャビネット１であってもそのままの状態でチャンネルベース２に固定することができる。従来のようにキャビネットの内側からボルト締めをするためにキャビネットに収納されている機器等を取り出すといった手間を大幅に省くことができる。キャビネット１の扉が前面に開閉するタイプのものであっても、扉を開放することなくチャンネルベース２へ固定することができるので、扉が開閉することによる不安定さが解消され、安全に設置作業が行える。
【００１４】
チャンネルベース２の前面はカバー８で施蓋することもできる。図３や図５に示すように、チャンネルベース２の前面側側面にねじ止め部２ｃを設け、ねじ止め固定をしたり、はめ込んで固定したりすることで、チャンネルベース２の前面側を保護したり、美観を損ねないようにしたりできる。
【産業上の利用可能性】
【００１５】
チャンネルベースにキャビネットを固定するのに、キャビネットの外側からボルト締めが行える構造を提供することにより、キャビネットに機器が取り付けられている状態でも、そのままで固定が可能となり、作業性を向上させることができる。
【図面の簡単な説明】
【００１６】
【図１】本発明に係るキャビネットをチャンネルベースに設置した状態を示す説明図である。
【図２】本発明に係るキャビネットにチャネル支持具を取り付ける様子を示す説明図である。
【図３】本発明に係るキャビネットをチャンネルベースに設置する様子を示す説明図である。
【図４】本発明に係るキャビネットをチャネルベースに設置する作業を示す説明図である。
【符号の説明】
【００１７】
１    キャビネット
２    チャンネルベース
２ａ  係止部
２ｂ  キャビネット固定穴
２ｃ  ねじ止め部
３    アンカー固定穴
４    アンカーボルト
５    チャンネル支持具
５ａ  取り付け部
５ｂ  引っ掛け部
６    ボルト
７    ボルト
８    カバー
【図１】
2008218695.tif 000003
【図２】
2008218695.tif 000004
【図３】
2008218695.tif 000005
【図４】
2008218695.tif 000006